(57)【要約】【目的】  工具を使用せず、パンチヘッド、リテーナカラー、コイルスプリング、パンチボディ、パンチガイドを解体することなく、簡単、容易に、パンチボデイの位置を調整する。【構成】  パンチヘッドドライバーとコイルスプリングとリテーナカラーとを一体的に形成してドライブユニットを構成し、パンチボディをパンチヘッドドライバー内に回転可能に取り付け、リテーナカラーにパンチガイドを回転可能に挿着し、パンチガイドのスライド溝にパンチボディのボッチを挿填して、ドライブユニットが回転するとパンチボディが上下動するようにし、リテーナカラーの適宜の差込溝に、パンチガイドのロケートピンを填め込んで、パンチガイドの開口にパンチボディが位置するようにする。【選択図】  図６
2010089133.tif 000002
【特許請求の範囲】
【請求項１】
パンチヘッドドライバーの外側面にコイルスプリングを挿填するとともに、コイルスプリングを押圧してリテーナカラーをパンチヘッドドライバーの外側面の下部に装着して一体的にドライブユニットを形成し、前記パンチヘッドドライバーの内側面の上方に設けたネジに、パンチボディの上部に設けたネジをはめ込んでパンチボディの上方部分をパンチヘッドドライバー内に回転可能に取り付け、前記リテーナカラーの外側面にパンチガイドの内側面を回転可能に挿着し、パンチガイドに設けたスライド溝にパンチボディに設けたボッチを挿填して、ドライブユニットが回転するとパンチボディが上下動するとともに、リテーナカラーの外側面に間隔を置いて差込溝を複数個設け、前記の適宜の差込溝に、パンチガイドに設けたスプリングを介挿したロケートピンまたは差込ピンを填め込んで、パンチガイドの下端の開口にパンチボディが位置するように構成したパンチボディの位置を調整できるパンチ金型。
【発明の詳細な説明】
【技術分野】
【０００１】
本発明はパンチボディの位置を調整できる金属加工等に用いるパンチ金型に関するものである。
【背景技術】
【０００２】
従来のパンチ金型は、図１に示すように、リテーナカラー４とパンチヘッドとの間にコイルスプリング３を挿装する際、コイルスプリング３に反発力を持たせるために、特殊な工具を用いて非常に強力な力で金型の組立てをしなければならなかった。また、パンチボデイ９が擦り減って、交換する際に特殊な工具等を使用する必要があった。
【０００３】
【特許文献１】特開平６−２７８０９６号
【０００４】
しかし、パンチボディ９が磨耗してその機能が低下したり、パンチボディ９が擦り減って短くなった場合、パンチボデイ９の位置の調整をする必要があり、そのためには、パンチヘッド１を取り外さなければならないが、パンチヘッド１が構造的に固く締まり込んでいるために、特殊な工具等を使用して、強力な力によって取り外さざるを得ない問題の他、リテーナカラー４、コイルスプリング３、パンチボディ９、パンチガイド８もそれぞれ解体しなければいけない問題を始めとして、パンチボディ９の位置の調整もしにくいという問題もあり、とにかく、パンチボデイ９の位置の調整には非常に面倒な作業を必要としていた。
【０００５】
また、パンチボディ９の位置の調整を行う都度、パンチヘッド１、コイルスプリング３、リテーナカラー４、パンチボディ９、パンチガイド８の取り外し、取り付けを行うために、パンチボディ９の押圧力、ストローク幅が一定せずに、所期の値を維持することは難しく、所定の金属加工等を行なうことができなくなり、加工等をする金属製品に支障が発生する問題があった。
【発明の開示】
【発明が解決しようとする課題】
【０００６】
本発明は、パンチング金型において、従来のように、特殊な工具等を使用して、強力な力によってパンチヘッドを取り外して、リテーナカラー、コイルスプリング、パンチボディ、パンチガイドをそれぞれ解体するなどの面倒な作業を行うことなく、パンチヘッドライバー、コイルスプリング、リテーナカラーを一体的に形成したドライブユニットを用いることによって、簡単、容易に、作業効率よく、確実にパンチボデイの位置を調整することに目的がある。
【０００７】
また、本発明は、前記の一体化したドライブユニットを用いて、パンチボデイの位置を調整することによって、パンチボディの押圧力、ストローク幅を一定の範囲の値に維持して、所定の金属加工等を安定的に行ない、高品質の金属製品の加工等を行うことに目的がある。
【課題を解決するための手段】
【０００８】
本発明は、パンチボディの位置を調整できるパンチ金型に関するもので、パンチヘッドドライバーの外側面にコイルスプリングを挿填するとともに、コイルスプリングを押圧してリテーナカラーをパンチヘッドドライバーの外側面の下部に装着して一体的にドライブユニットを形成し、前記パンチヘッドドライバーの内側面の上方に設けたネジに、パンチボディの上部に設けたネジをはめ込んでパンチボディの上方部分をパンチヘッドドライバー内に回転可能に取り付け、前記リテーナカラーの外側面にパンチガイドの内側面を回転可能に挿着し、パンチガイドに設けたスライド溝にパンチボディに設けたボッチを挿填して、ドライブユニットが回転するとパンチボディが上下動するとともに、リテーナカラーの外側面に間隔を置いて差込溝を複数個設け、前記の適宜の差込溝に、パンチガイドに設けたスプリングを介挿したロケートピンまたは差込ピンを填め込んで、パンチガイドの下端の開口にパンチボディが位置するように構成したことに特徴がある。
【発明の効果】
【０００９】
本発明によると、従来のように、特殊な工具等でパンチヘッドを取り外して、リテーナカラー、コイルスプリング、パンチボディ、パンチガイドをそれぞれ解体した後、再度これらを組み直すという面倒な作業を必要とせずに、単にドライブユニットを回転させるという、ワンタッチで簡単な操作でパンチボディの位置を調整することが可能である。
【００１０】
また、本発明によると、パンチヘッドドライバー、コイルスプリング、リテーナカラーを一体的に構成したドライブユニットを用いて、パンチボデイの位置を調整し、パンチボディの押圧力、ストローク幅を一定の範囲の値に維持でき、所定の金属加工等を安定的に行なうことが可能になり、高品質の金属製品の加工等を行うことができる利点がある。
【発明を実施するための最良の形態】
【００１１】
本発明のパンチボディの位置を調整できるパンチ金型の一例を説明すると、図２に示すように、本発明はパンチヘッドドライバー１の外側面にコイルスプリング３を挿填するとともに、コイルスプリング３を押圧した状態において、パンチヘッドドライバー１に設けた突起６をリテーナカラー４に設けたスリット７に嵌め込んで固定して、これらを一体的に形成してドライブユニット２を構成することに第１の特徴がある。
【００１２】
次に、前記パンチヘッドドライバー１の内側面の上方に設けたネジに、パンチボディ９の上部に設けたネジをはめ込んでパンチボディ９の上方部分をパンチヘッドドライバー１内に回転可能に取り付けるとともに、リテーナカラー４の外側面にパンチガイド８の内側面を回転可能に挿着するが、図３に示すように、リテーナカラー４の外側面には間隔を置いて差込溝５を複数個設け、また、図４に示すように、パンチガイド８の上部には、スプリング１０を介挿した取っ手１１付のロケートピン１３を設ける。
【００１３】
図５に示すように、パンチボディ９の上方部分を、パンチボディ９の直径より小さい円筒状に形成するとともにその外側面にネジを設け、また、パンチボディ９にはボッチ１２を設け、パンチボディ９をパンチガイド８内に挿入するについては、パンチガイド８に設けたスライド溝１５にパンチボディ９のボッチ１２を挿填して、パンチヘッドドライバー１が回転するとパンチボディ９が上下動するようにする。
【００１４】
図６に示すように、ドライブユニット２のパンチヘッドドライバー１内に、パンチボディ９の上方部分を回転可能に取り付けた後、リテーナカラー４にパンチガイド８を着脱可能、回転可能に装填するについて、パンチガイド８に設けたロケートピン１３をスプリング１０の弾力に抗して引き出してリテーナカラー４に嵌め込むとともに、パンチガイド８に設けたスライト溝１５にパンチボディ９のボッチ１２を挿填して、開口１４にパンチボディ９が位置することを確認し、次いで、スプリング１０の弾力によってロケートピン１３を適宜な差込溝５に回転や移動しないように着脱可能に装着してパンチボディ９の位置決めのセットをすることに第２の特徴がある。
【００１５】
パンチボディ９が磨耗してその機能が低下したり、パンチボディ９が擦り減って短くなった場合には、パンチボディ９の位置の調整を必要とするので、その際には、パンチガイド８のロケートピン１３をスプリング１０の弾力に抗して引き出してリテーナカラー４の差込溝５より外した後、パンチヘッドドライバー１を若干回転させるとともにパンチボディ９を下方に移動させ、ロケートピン１３を別の適宜の差込溝５に嵌め込んだ後、パンチガイド８とリテーナカラー４とが回転や移動しないように、スプリング１０の弾力によってロケートピン１３を別の適宜の差込溝５に着脱可能に装着することによって、パンチボディ９がパンチガイド８の下端の開口１４に位置するように再セットし、以後、この操作を繰り返して行えばよい。
【００１６】
すなわち、リテーナカラー４の外側面には、所定の間隔を置いて差込溝５を複数個設けて、パンチガイド８のロケートピン１３が嵌め込まれている差込溝５が１つ移行すると、ドライブユニット２が若干回転するとともにパンチボディ９が下降するので、その下降度合いを、あらかじめ、設計段階で計算しておき、パンチボディ９の磨耗程度、擦り減り程度に応じて、パンチガイド８のロケートピン１３を嵌め込む差込溝５の間隔を適宜設定して置き、ロケートピン１３を適宜の差込溝５に移行させて、パンチボディ９がパンチガイド８の下端の開口１４に位置するように構成しておけばよい。
【００１７】
また、本発明は、前述したパンチボディ９の位置を調整できるパンチ金型においては、パンチガイド８に設けたロケートピン１３の代わりに、通常の差込ピンや差込ネジ等の公知の差込固定手段を設けてもよい。
【産業上の利用可能性】
【００１８】
本発明は、パンチボディが磨耗してその機能が低下したり、パンチボディが擦り減って短くなった場合に、パンチボディの位置の調整を必要とする工作機械の金属加工等の用いるパンチング金型に利用できる。
【図面の簡単な説明】
【００１９】
【図１】パンチヘッド、コイルスプリング、リテナーカラーにパンチガイトを嵌め込んだ状態を示す従来のパンチング金型の正面断面図である。
【図２】パンチヘッドドライバーにコイルスプリングを挿填するとともに、コイルスプリングを押圧してリテーナカラーをパンチヘッドドライバーの下部に装着して一体的に形成したドライブユニットを用いた本発明のパンチ金型の正面断面図である。
【図３】外側面には間隔を置いて差込溝を複数個設けた状態を示す本発明のドライブユニットのリテーナカラーの斜視説明図である。
【図４】上部にスプリングを介挿した取っ手付のロケートピンを設けた状態を示す本発明のパンチガイドの斜視説明図である。
【図５】上方部分をパンチボディの直径より小さい円筒状に形成するとともにその外側面にネジを設け、また、パンチボディにボッチを設けた状態を示す本発明のパンチボディの斜視説明図である。
【図６】ドライブユニットのパンチヘッドドライバー内にパンチボディを取り付け、パンチガイドのロケートピンをリテーナカラーの適宜な差込溝に嵌め込んでリテーナカラーにパンチガイド装着するとともに、パンチガイドにパンチボディを装填した状態を示す本発明のパンチ金型の側面断面図である。
【符号の説明】
【００２０】
１    パンチヘッドドライバー
２    ドライブユニット
３    コイルスプリング
４    リテーナカラー
５    差込溝
６    突起
７    スリット
８    パンチガイド
９    パンチボディ
１０  スプリング
１１  取っ手
１２  ボッチ
１３  ロケートピン
１４  開口
１５  スライド溝
【図１】
2010089133.tif 000003
【図２】
2010089133.tif 000004
【図３】
2010089133.tif 000005
【図４】
2010089133.tif 000006
【図５】
2010089133.tif 000007
【図６】
2010089133.tif 000008